(57)【要約】      （修正有）【課題】横になった状態でテレビを視聴することなどを行うにあたり、テレビの音声その他外部の音が従来よりも聞き取りやすいクッションを提供する。【解決手段】外周面に形成された流通部２０に一方の耳を当てて横になった姿勢をとれば、この流通部２０には、クッション１内部で連結された他の流通部２０から空気の流通に伴って外部の音が伝達されてくる。そのため、このクッション１を使用して横になった状態でテレビを視聴することなどを行う場合、従来のように、流通部２０が形成されていないクッションを用いた場合よりも、外部の音が聞き取りやすい。【選択図】図１
0003110656.tif 000002
【実用新案登録請求の範囲】
【請求項１】
外周面における複数箇所それぞれから内部に向けて、空気の流通が可能な筒状の流通部が形成されており、該流通部それぞれが内部で連結されている
ことを特徴とするクッション。
【請求項２】
前記流通部は、外周面から内部に向かう挿通孔として形成されている
ことを特徴とする請求項１に記載のクッション。
【請求項３】
前記流通部のうち、一の流通部を除く他の流通部は、前記一の流通部の長さ方向と交差する方向に沿って形成されている
ことを特徴とする請求項１または請求項２に記載のクッション。
【請求項４】
外周面が、対向する一組の平面を有する形状となっており、
前記流通部のうち、一の流通部は、前記一組の平面のいずれか一方から内部に向けて形成されている
ことを特徴とする請求項１から３のいずれかに記載のクッション。
【請求項５】
それぞれ直交する位置関係で配置された三組の対向する平面を外周面に有する六面体となっており、
前記流通部は、外周面の有する平面それぞれから内部に向けて形成されている
ことを特徴とする請求項１から４のいずれかに記載のクッション。
【考案の詳細な説明】
【技術分野】
【０００１】
本考案は、クッションに関する。
【背景技術】
【０００２】
従来から、クッションを使用して横になった状態でテレビを視聴することなどが行われている。なお、本出願において「クッション」とは、周知のクッションの他、枕を含むものとする。
【考案の開示】
【考案が解決しようとする課題】
【０００３】
ただ、上述のような状態では、クッションに接触した側の耳がクッションによって塞がれた姿勢となってしまうため、テレビの音声その他外部の音が聞き取りにくくなってしまうという問題があった。
【０００４】
本考案は、上述のような問題を解決するためになされたものであり、その目的は、横になった状態でテレビを視聴することなどを行うにあたり、テレビの音声その他外部の音が従来よりも聞き取りやすいクッションを提供することである。
【課題を解決するための手段】
【０００５】
上記課題を解決するため、請求項１に記載のクッションは、外周面における複数箇所それぞれから内部に向けて、空気の流通が可能な筒状の流通部が形成されており、該流通部それぞれが内部で連結されている、ことを特徴とする。
【０００６】
このように構成されたクッションであれば、外周面に形成された流通部に一方の耳を当てて横になった姿勢をとれば、この流通部には、クッション内部で連結された他の流通部から空気の流通に伴って外部の音が伝達されてくる。
【０００７】
そのため、このクッションを使用して横になった状態でテレビを視聴することなどを行う場合、従来のように、流通部が形成されていないクッションを用いた場合よりも、外部の音が聞き取りやすくなる。
【０００８】
この構成における流通部としては、空気が流通可能な構成であれば、どのような構成としてもよく、例えば、多孔質の部材により構成することなどが考えられる。また、請求項２に記載のように、外周面から内部に向かう挿通孔として形成することも考えられる。
【０００９】
この後者の構成であれば、何らかの部材にて流通部を形成するよりも、空気が流通しやすくなるため、音の伝達が妨げられにくく、外部の音がより聞き取りやすくなるため好適である。
【００１０】
また、上述の流通部は、クッション内部で連結されてさえいれば、このような位置関係で形成してもよいが、例えば、請求項３に記載のように、前記流通部のうち、一の流通部を除く他の流通部は、前記一の流通部の長さ方向と交差する方向に沿って形成されている、とよい。
【００１１】
このように構成すれば、一の流通部に一方の耳を当てて横になった姿勢をとった際、この一の流通部に対して他の流通部が交差する状態となり、これら他の流通部は、その長手方向が地面に沿った位置関係となるため、地面に沿って伝達されてくる音を取り込みやすくなる。よって、上記姿勢をとった際に、より外部の音が聞き取りやすくなるため好適である。
【００１２】
また、上述したように、本考案のクッションは、流通部に一方の耳を当てて横になった姿勢をとって使用することとなるが、このときのクッションの安定性を高めるために、例えば、請求項４に記載のような構成とすることが望ましい。具体的には、外周面が、対向する一組の平面を有する形状となっており、前記流通部のうち、一の流通部は、前記一組の平面のいずれか一方から内部に向けて形成されている、といった構成である。
【００１３】
このように構成すれば、一方の平面から内部に向けて形成された流通部に一方の耳を当てて横になった姿勢をとった際、この流通部が形成された平面と対向する平面が地面と接触してクッション全体の位置を安定させることができる。また、上記姿勢をとる場合には、一方の平面に形成された流通部周辺に、顔の側面が接触した状態からクッションがその硬さに応じて変形していくこととなるが、顔の側面はその前後面と比べて平面に近い形状になっていることから、その姿勢を安定させた状態から顔の側面に合わせて変形することができる。
【００１４】
ところで、上述したように、流通部に一方の耳を当てて横になった姿勢をとるにあたっては、流通部それぞれの位置関係が適切でなければ、特定の流通部に耳を当てないと外部の音が聞き取りにくくなる、といった状況も起こりうる。このようなことは、本考案のクッションを、上述したような姿勢を外部の音を聞き取りやすくなる状態で使用するための利便性が低下するため望ましいことではない。
【００１５】
そこで、例えば、請求項５に記載のように、それぞれ直交する位置関係で配置された三組の対向する平面を外周面に有する六面体となっており、前記流通部は、外周面の有する平面それぞれから内部に向けて形成されている、といった構成としてもよい。
【００１６】
このように構成すれば、いずれの平面に形成された流通部に耳を当てて横になったとしても、耳を当てた流通部と他の流通部との位置関係が大きく異なった状態となることがないため、特定の流通部に耳を当てないと外部の音が聞き取りにくい、といった状況が発生することを防止することができる。
【考案を実施するための最良の形態】
【００１７】
以下に本考案の実施形態を図面と共に説明する。
クッション１は、図１に示すように、それぞれ直交する位置関係で配置された三組の対向する平面１０を外周面に有する六面体となっており、これら平面１０それぞれから内部に向けて、空気の流通が可能な筒状の流通部２０が形成されている。
【００１８】
これら流通部２０は、各平面１０から内部に向かう挿通孔として形成され、直行する位置関係の平面１０に形成された流通部２０同士がそれぞれ交差（本実施形態においては直行）することでクッション１内部において連結されている（図１（ｂ）参照）。
【００１９】
また、このクッション１は、袋状となっているクッション１本体部分に、充填部材（例えば、発泡ビーズ，樹脂材料のチップ，綿などの繊維材料，そばがらなど）が詰め込まれることで上記六面体の形状を形作っている。
【００２０】
このように構成されたクッション１であれば、図２に示すように、外周面に形成された流通部２０に一方の耳を当てて横になった姿勢をとった際、この流通部２０にクッション１内部で連結された他の流通部２０から空気の流通に伴って外部の音が伝達されてくる。
【００２１】
そのため、このクッション１を使用して横になった状態でテレビを視聴することなどを行う場合、従来のように、流通部２０が形成されていないクッションを用いた場合よりも、外部の音が聞き取りやすくなる。
【００２２】
また、流通部２０が挿通孔として形成されているため、何らかの部材にて流通部２０を形成するよりも空気が流通しやすいため、音の伝達が妨げられにくく、外部の音がより聞き取りやすくなるため好適である。
【００２３】
また、直行する位置関係の平面１０に形成された流通部２０同士がそれぞれ交差した状態となっているため、一の流通部２０に一方の耳を当てて横になった姿勢をとった際、この流通部２０に対して他の流通部２０が交差する状態となり、これら他の流通部２０が、その長手方向が地面に沿った位置関係となるため、地面に沿って伝達されてくる音を取り込みやすくなる。よって、上記姿勢をとった際に、より外部の音が聞き取りやすくなるため好適である。
【００２４】
また、対向する平面１０それぞれに流通孔２０が形成されているため、いずれかの平面１０に形成された流通部２０に一方の耳を当てて横になった姿勢をとった際、この流通部２０が形成された平面１０と対向する平面１０が地面と接触してクッション１全体の位置を安定させることができる。また、上記姿勢をとる場合には、いずれかの平面１０に形成された流通部２０周辺に、顔の側面が接触した状態からクッション１がその硬さ（袋状の本体に詰め込まれた充填部材，および，その詰め込まれた密度）に応じて変形していくこととなるが、顔の側面はその前後面と比べて平面に近い形状になっていることから、その姿勢をより安定させた状態から顔の側面に合わせて変形することができる。
【００２５】
また、それぞれ直交する位置関係で三組の対向する平面１０を外周面に有する六面体となっているため、いずれの平面１０に形成された流通部２０に耳を当てて横になったとしても、耳を当てた流通部２０と他の流通部２０との位置関係が大きく異なった状態となることがないため、特定の流通部２０に耳を当てないと外部の音が聞き取りにくい、といった状況が発生することを防止することができる。これにより、上述したような姿勢を外部の音を聞き取りやすくなる状態で使用するための利便性が高くなっている。
【００２６】
以上、本考案の実施の形態について説明したが、本考案は、上記実施形態に何ら限定されることはなく、本考案の技術的範囲に属する限り種々の形態をとり得ることはいうまでもない。
【００２７】
例えば、上記実施形態においては、六面体となっている構成のクッション１を例示したが、このような六面体でなくても、外周面における複数箇所それぞれから内部に向けて流通部２０が形成され、これら流通部２０が内部で連結された構成であれば、具体的な形状については特に限定されない。
【００２８】
また、上記実施形態においては、流通部２０が挿通孔として形成された構成を例示したが、この流通部２０は、挿通孔としてではなく、例えば、多孔質の部材により構成してもよい。この場合、挿通孔として形成する場合よりも、クッション１としての強度（硬さ）を確保しやすくなる。
【００２９】
また、上記実施形態においては、対抗する位置関係で配置された流通部２０それぞれが他の流通部２０と交差する方向に沿って形成された位置関係となっている構成を例示したが、各流通部２０の位置関係は、流通部２０それぞれがクッション１内部で連結されていれば、異なる位置関係で構成してもよい。
【００３０】
また、上記実施形態においては、袋状となっているクッション１本体部分に、充填部材を詰め込むことで六面体の形状を形作っている構成を例示した。しかし、袋状のクッション１本体部分に、空気を注入して立方体を形作るように構成してもよい。この場合、内部に注入された空気の浮力により水に浮かぶようになるため、流通孔２０に手を通すなどして、浮き袋としても使用することができる。
【００３１】
また、上記実施形態において、それぞれ隣接する平面１０に形成された流通部２０の間に位置するクッション１本体部を、これら流通部２０の長さ方向と平行な面を境に面ファスナーなどで着脱自在とすることで、流通部２０の開口を連結して拡げられるように構成してもよい。この場合、クッション１を、拡げられた流通部２０の開口から頭に被ることで緊急時に防災頭巾として使用することができる。
【図面の簡単な説明】
【００３２】
【図１】クッションの斜視図（（ｂ）は一部破断した状態を示す）
【図２】クッションの使用状態を示す図
【符号の説明】
【００３３】
１…クッション，１０…平面，２０…流通部。
【図１】
0003110656.tif 000003
【図２】
0003110656.tif 000004